(57)【要約】【課題】  高い防犯効果を有するとともに犯人の身長を容易に判別することが可能であって、しかも、設置場所に応じて種々の態様で設置することのできる標識体を用いた防犯方法及び防犯に適した標識体の構成を提供する。【解決手段】  本発明の防犯方法は、建物の壁或いはドアその他の建具の表面上における成人の平均身長を含む高さ範囲に、上下方向に間隔を有して、各々その高さ位置に対応する身長を表す数値が記載されている複数の別体に構成された標識体１００を設置することを特徴とする。標識体１００の表材１００Ａ〜１００Ｃには、黒目部分１０１Ａ〜１０１Ｃと、身長を表す数値１０２Ａ〜１０２Ｃと、白目部分１０３Ａ〜１０３Ｃとがそれぞれ設けられている。【選択図】図１
2005084163.tif 000002
【特許請求の範囲】
【請求項１】
建物の壁、建具その他の物の表面上に、上下方向に間隔を有して、各々その高さ位置に対応する身長を表す数値が記載されている複数の別体に構成された標識体を設置することを特徴とする防犯方法。
【請求項２】
前記複数の標識体には、各々人の目のデザインが施されていることを特徴とする請求項１に記載の防犯方法。
【請求項３】
前記複数の標識体は相互に異なる着色が施されていることを特徴とする請求項１又は２に記載の防犯方法。
【請求項４】
前記標識体は店舗の出入口のドアに設置されることを特徴とする請求項１乃至３のいずれか一項に記載の防犯方法。
【請求項５】
前記標識体の設置場所を撮影範囲に含む監視カメラを設けることを特徴とする請求項１乃至４のいずれか一項に記載の防犯方法。
【請求項６】
人の目のデザインを有し、身長を表す数値が記載されてなることを特徴とする標識体。
【請求項７】
前記数値は前記デザイン中の黒目部分に当該部分よりも淡色の抜き文字として記載されていることを特徴とする請求項６に記載の標識体。
【請求項８】
前記デザイン中の白目部分が蛍光塗料によって着色されていることを特徴とする請求項６又は８に記載の標識体。
【請求項９】
身長が記載されてなる標識体を複数有し、複数の前記標識体が相互に異なる前記数値を有することを特徴とする標識体セット。
【発明の詳細な説明】
【技術分野】
【０００１】
本発明は防犯方法、標識体及び標識体セットに係り、特に、小売店や銀行などの店舗に設置する場合に好適な標識体を用いた防犯方法に関する。
【背景技術】
【０００２】
一般に、小売店や銀行などの店舗では、万引きや強盗などの犯罪の現場を撮影するための監視カメラが設置されている。このような監視カメラの画像は警備所や警備会社などに送られ、犯罪が発生したときには迅速に対処できるように構成される場合がある。しかしながら、撮影角度によって犯人の顔を撮影できるとは限らず、また、犯人は覆面などをして顔を覆っていることが多いため、監視カメラによる画像から犯人の特徴を知る手がかりとしては犯人の体格や身長などが重要なポイントになる。そこで、犯人の身長を知る手がかりとなるように、出入口などの任意の場所に貼着して犯人の身長を容易に推定できるように構成された防犯メジャーが知られている（例えば、以下の特許文献１参照）。
【特許文献１】登録実用新案公報第３０３２７９０号公報
【発明の開示】
【発明が解決しようとする課題】
【０００３】
しかしながら、前述の防犯メジャーは、テープ状の基体の表面に身長目盛りを表してなるものであるため、店舗などに貼着する場合には店舗デザインを損なう恐れがあり、また、犯人に対する威嚇効果が比較的弱く、強い防犯効果を奏するものとは言えないという問題点がある。さらに、この防犯メジャーは上下方向にテープ状に伸びた形状を有するため、犯人の影に隠れてしまうことがあって全く利用できなかったり、表示されている数値が目立ちにくいことから、犯行のあった瞬間に犯人の身長と防犯メジャーの数値とをとっさに比較するといったことがきわめて難しかったりするという問題点もある。
【０００４】
そこで、本発明は上記問題点を解決するものであり、その課題は、高い防犯効果を有するとともに犯人の身長を容易に判別することが可能であって、しかも、設置場所に応じて種々の態様で設置することのできる標識体を用いた防犯方法及び防犯に適した標識体の構成を提供することにある。
【課題を解決するための手段】
【０００５】
上記課題を解決するために、本発明の防犯方法は、建物の壁、建具その他の物の表面上に、上下方向に間隔を有して複数の別体に構成された標識体を設置することを特徴とする。これによれば、複数別体の標識体によって、設置場所の傍らに立つ犯人の身長を判別することが可能になり、また、監視カメラなどを設置した場合でも、犯人及び標識体を含む撮影画像から容易に犯人の身長を割り出すことができる。また、複数の標識体は別体に構成されているため、複数の標識体そのものが犯人の身長を割り出す際の目印となることから、犯罪が発生したときの緊張した状況でも標識体が目に入りやすく、記憶に残りやすいという効果がある。さらに、必要に応じて複数の標識体を上下方向に垂直に配列させずに、斜めに配列させたり、千鳥状に配列させたりすることができることから、犯人の背後に全ての標識体が隠れてしまうといった事態を回避することができ、より広い範囲において犯人の身長を割り出す際の手がかりとして用いることができるとともに、店舗デザインなどを損なうことなく設置することができる。
【０００６】
特に、標識体には、その高さ位置に対応する身長を表す数値が記載されていることにより、身長を判別するためのものであることが一目瞭然となるため、犯人の身長を特定する際の目印効果を高めることができると同時に、犯人に犯行を思いとどまらせる犯罪抑止効果（威嚇効果）を期待できる。例えば、近年急増している、ストーカー犯罪やピッキング、サムターン回しなどの犯罪にも効果的である。また、近年、コンビニエンスストアの防犯費用の経費の増大から廃業に追い込まれる店舗もあるが、通常の防犯設備とは違い安価で効果が期待出来るという利点がある。
【０００７】
また、標識体を人の目のデザインを施したものとすることにより、目立ちやすくなるため、犯人の身長を特定する際の目印効果を高めることができると同時に、犯人に対しては監視されている印象を強く与えるものとなるため、犯罪抑止効果をさらに高めることができる。ここで、人の目のデザインとは、少なくとも、楕円状、長円状その他の扁平形状に構成される白目に相当する形状の中に円形の黒目に相当する部分が異なる色調にて配置されているデザインを言う。
【０００８】
さらに、前記複数の標識体は相互に異なる着色が施されていることが好ましい。これによって、標識体の印象がさらに強調されるため、犯人の身長を特定するための目印効果及び犯罪抑止効果をさらに高めることができる。この場合に、目印効果をさらに高めるためには、上記の着色は蛍光材料又は反射材料でなされていることがより望ましい。
【０００９】
また、前記標識体は店舗の出入口のドアに設置されることが好ましい。これによれば、犯人が逃走する際には必ず出入口のドアの前を通過するため、目印効果をさらに高めることができる。特に、ドアが透明材で構成されている場合には、犯人が外部へ出た後においても犯人の身長と標識体との位置関係を確認することができるため、さらに効果的である。
【００１０】
さらに、前記標識体の設置場所を撮影範囲に含む監視カメラを設けることが好ましい。これによって、監視カメラの画像に基づいて犯人の身長を容易に割り出すことが可能になる。
【００１１】
次に、本発明の標識体は、人の目のデザインを有し、身長（特に成人の身長）を表す数値が記載されてなることを特徴とする。ここで、前記数値は前記デザイン中の黒目部分に黒目よりも淡色の抜き文字として記載されていることが好ましい。また、前記デザイン中の白目部分が蛍光塗料によって着色されていることが好ましい。また、標識体には、それを貼着可能とする粘着層、吸着盤、マグネットなどの適宜の設置手段を設けることが好ましく、特に、標識体が適宜に貼着可能に構成された防犯シールとして構成されていることが望ましい。
【００１２】
また、本発明の標識体セットは、身長を表す数値が記載されてなる標識体を複数有し、複数の前記標識体が相互に異なる前記数値を有することを特徴とする。これによって、店舗などでも目立ちやすく、防犯効果の高い複数の標識体を構成できる。この場合に、複数の標識体が相互に異なる色調に着色されていることが望ましい。
【発明を実施するための最良の形態】
【００１３】
次に、添付図面を参照して本発明に係る実施形態について説明する。図１は、本発明に係る標識体（防犯シール）１００の平面形状を示す平面図（ａ）〜（ｃ）及び標識体１００の断面形状を示す断面図（ｄ）である。標識体１００は、図１（ｄ）に示すように、表材１００Ａ，１００Ｂ，１００Ｃを有する。また、この表材の裏面には、粘着層１００Ｘが設けられている。さらに、標識体（防犯シール）１００を輸送、保管、展示する場合には、粘着層１００Ｘの表面を剥離紙などの保護シート１００Ｙで覆うことが好ましい。
【００１４】
表材１００Ａ〜１００Ｃは、中央に濃色（例えば黒色）に着色された黒目部分１０１Ａ〜１０１Ｃを有する。この黒目部分１０１Ａ〜１０１Ｃの内部には、身長を示す数値１０２Ａ、１０２Ｂ，１０２Ｃ（例えば１６０ｃｍ、１７０ｃｍ、１８０ｃｍなど）が黒目部分の濃色よりも淡色（例えば白色）に着色された抜き文字状に表されている。黒目部分１０１Ａ〜１０１Ｃは円形に表されている。また、黒目部分の周囲には、黒目部分よりも淡色（例えば白色、黄色、赤色、緑色、青色など）に着色された白目部分１０３Ａ，１０３Ｂ，１０３Ｃが設けられている。この白目部分１０３Ａ〜１０３Ｃは、基本的に人の目の輪郭に類似した外縁形状を有する。すなわち、楕円形、長円形、菱形（隅丸菱形）、長方形（隅丸長方形）などの扁平形状に構成されている。
【００１５】
ここで、黒目部分１０１Ａ〜１０１Ｃと、白目部分１０３Ａ〜１０３Ｃとの少なくともいずれか一方が蛍光色に着色されていることが好ましい。蛍光色は、公知の蛍光材や蓄光材を塗料に混合することによって容易に得ることができる。特に、淡色の白目部分１０３Ａ〜１０３Ｃを蛍光色とすることによって視認性の向上効果が高いものとなる。また、上記数値１０２Ａ〜１０２Ｃを蛍光色としてもよい。これによって身長を表す数値の視認性を向上できる。このように、蛍光材料を用いることによって視認性が向上し、より目立ちやすくなる。また、蛍光材料の代わりに、光反射性を有する反射材料を用いることも有効である。この場合、反射材料の表面は鏡面ではなく、或る程度の範囲に反射光を散乱させる光散乱性の反射面が構成されていることが望ましい。もちろん、蛍光材料であって、しかも反射材料でもある素材を用いてもよい。
【００１６】
また、異なる身長を表す標識体１００は、相互に異なる色に着色されていることが好ましい。特に、淡色の白目部分を相互に異なる色調とすることによってさらに視認性が向上し、防犯効果及び犯人の身長の特定効果を高めることができる。
【００１７】
なお、上記粘着層１００Ｘは表材１００Ａ〜１００Ｃを設置するための設置手段を構成するものであり、設置対象に応じて、マグネット、吸盤などの他の設置手段を備えたものであっても構わない。特に、繰り返し着脱可能な設置手段、例えば、繰り返し貼着したり剥がしたりできる粘着層や吸盤などであることによって、取り外して標識体や設置面の清掃を行うことなどができ、都合がよい。
【００１８】
図１（ｅ）は、上記標識体（或いは貼着シール）の表面デザインの他の例を示す平面図である。この例の標識体１００′は、全体として葉の形状を有している。標識体１００′の中央には矩形、楕円形などの所定の形状を有する表示部１０１′が設けられ、この表示部１０１′の中に身長を表す数値１０２′が記載されている。表示部１０１′の周囲は葉のデザインが施された外周部１０３′となっている。この標識体１００′では、威嚇効果は少ないものの、店舗の窓などに設置しても違和感がない良好なデザインを構成することができる。この標識体１００′では葉のデザインを採用しているが、木の実、果実、花などの各種のデザインを採用することが可能である。また、例えば、複数の標識体を店舗のドアなどに設置する場合に、木の枝に複数の葉、果実、花などのデザインを施した複数の標識体が取り付けられているような統合されたデザインを構成することもできる。
【００１９】
図１（ｆ）に示す他の標識体１００″は、蛍光色や反射素材などの強い印象を与える外観を有するテープ（帯）状の素材の中央に矩形、楕円形などの所定の形状を有する表示部１０１″が設けられ、この表示分１０１″の中に身長を表す数値１０２″が記載されている。また、表示部１０１″の周囲は、上記のように蛍光色や反射素材などで構成された外周部１０３″となっている。このような標識体１００″でも、その表示された身長の高さに対応させて複数設置することによって後述する高い効果を奏する事ができる。
【００２０】
図２は、上記標識体１００を用いる態様を示す説明図（ａ）及び（ｂ）である。複数の標識体１００は、ドア１０の表面上であって、成人の平均身長を含む範囲（１６０〜１８０ｃｍの範囲）に、上下に間隔を隔てて設置（貼着）される。図２（ａ）の場合には、ドア１０の表面、例えば内面上に、複数の標識体１００が垂直方向に間隔を隔てて配列されている。標識体１００の列は、図示点線で示すようにドア１０の左右いずれか一方に偏った位置に配置されていてもよい。これによって、犯人によって標識体が隠されて役に立たない可能性を低減できる。
【００２１】
なお、日本の２０〜４０歳代の成人の平均身長は、男が１７０ｃｍ前後、女が１６０ｃｍ前後であるため、店舗などにおける犯行は男が多いことを勘案すると、１６０〜１８０ｃｍの範囲内に複数の標識体１００を設置することが好ましい。標識体１００の設置間隔は、５〜１５ｃｍ間隔であることが好ましく、図示例のように１０ｃｍ間隔であることが最も望ましい。標識体の間隔が小さすぎると標識体の数が増えるので却って身長の基準を?みにくくなり、間隔が大きすぎると身長の具体的な特定が難しくなるからである。
【００２２】
図２（ｂ）に示す例は、上記と同様に複数の標識体１００を上下方向に間隔を隔てて設置（貼着）されているが、水平方向に相互にずれた位置に設置した例を示すものである。図示実線の設置例は、上から順に所定方向（図示右方向）へ斜めに標識体１００をずらして設置したものである。また、図示点線で示すように複数の標識体を上から千鳥状に設置しても構わない。このように複数の標識体１００を水平方向にもずらして設置することにより、犯人がどの位置に立っても、全ての標識体１００が犯人によって同時に隠れてしまうといったことを防止できる。
【００２３】
なお、ドア１０が両開きドアである場合には、左右両側のドアに渡って複数の標識体１００を設置（例えば左右のドアに一枚ずつ設置するなど）してもよく、或いは、左右両側のドアのそれぞれに複数の標識体１００を設置してもよい。後者の場合には、いずれのドアが開けられた状態にあっても他方のドアで身長を推定できる。また、標識体１００をドア１０の枠部分に設置してもよい。さらに、ドア１０がガラスなどの透明な材質で構成されている場合には、標識体１００はドア１０の内面及び外面のいずれに設置してもよい。ただし、店舗などではドア１０の内側から標識体１００の表材１００Ａ〜１００Ｃが視認できるように構成することが好ましい。もちろん、ドア１０の内外両側から表材１００Ａ〜１００Ｃが視認できるように構成されていればより好都合である。
【００２４】
図３は、上記のドア１０を有する店舗の平面図を示す。この店舗においては、ドア１０以外に、内壁面１１、冷蔵庫などの商品収容部のドア１２などが設けられている。上記の標識体１００はこのような内壁面１１やドア１２などの建具その他の適宜の表面上に設置してもよい。例えば、銀行では、ＡＴＭ（現金自動預払機）、カウンタ、柱などに設置してもよい。また、この店舗では、ドア１０の近傍を撮影する監視カメラ１５が設置されている。この監視カメラ１５は、店員Ｂを含めカウンタ１３の近傍をも撮影できるように構成されている。監視カメラ１５によってドア１０に設置された上記の複数の標識体１００は常に撮影可能な状態となっており、これによってドア１０の手前、或いは、カウンタ１３の手前にいる犯人Ａの身長を標識体１００を参考にして推定することができる。
【００２５】
図４は、監視カメラ１５の光軸１５ａ，１５ｂと、犯人Ａと、標識体１００との関係を示す説明図である。通常、監視カメラ１５は天井近くの高所に設置され、その光軸１５ａはやや下方に向くように設定されている。したがって、ドア１０の手前にいる犯人Ａの身長を推定する場合、犯人Ａの身長は、ドア１０の表面上における犯人Ａの身長と同じ高さＸではなく、それよりも低い高さＹであるかのように見える。一方、犯人Ａが逃走してドア１０の外部へ出た場合には、同じ光軸１５ａであっても、今度は、犯人Ａの身長は、上記高さＸよりも高い高さＺであるかのように見える。したがって、監視カメラ１５によって犯人Ａの身長を推定する場合、ドア１０が透明であれば、ドア１０の手前にいるときと、ドア１０の外にいるときとを勘案すれば、その中間の上記高さＸを推定でき、これによって犯人Ａの真の身長を求めることができる。
【００２６】
また、監視カメラ１５を水平な光軸１５ｂを有するように設置する、すなわち、例えば監視カメラ１５の設置高さを成人の平均身長範囲（１６０〜１８０ｃｍの範囲）内に設定することによって、標識体１００を参考にしてより正確な身長を推定することが可能になる。ただし、手前に他の人がいる場合には犯人や標識体が陰になるので、平均的な成人の身長と同等の高さよりも１８０〜２００ｃｍ程度のやや高い場所に設置することが望ましい。さらに、一般に複数の監視カメラを標識体の設置場所に向けることが好ましいことはもちろんである。
【００２７】
本発明に係る標識体１００は、犯人となる者に対して人の目を表すデザインによって威圧感を与え、監視されている旨を示すことができるため、犯行を未然に防ぐといった防犯効果を生じさせることができる。また、実際に犯行があった場合には、近くにいる者が犯人の身長を標識体１００を参考にして推定することが可能になり、また、監視カメラ１５に写った犯人及び標識体の画像を参考にして犯人の身長を推定することも可能である。したがって、犯人の検挙にも大きな効果を有するものである。
【００２８】
標識体の色は、設置場所に合わせて選定することが好ましい。例えば、ドア枠が淡色であれば、標識体を赤やオレンジ色に着色することが好ましい。茶色や黒色のドア枠であれば、黄色が最も好ましい。標識体を目立たせるためには、原色や蛍光色や反射色（金色、銀色など）が好ましい。また、複数の標識体を相互に異なる色調に着色することによって目立ちやすく記憶に残りやすいので好都合である。
【図面の簡単な説明】
【００２９】
【図１】標識体（防犯シール）の平面形状を示す平面図（ａ）−（ｃ）及び断面図（ｄ）並びに他のデザイン例を示す平面図（ｅ）及び（ｆ）。
【図２】標識体を設置したドア１０を示す説明図（ａ）及び（ｂ）。
【図３】標識体を設置した店舗の平面図。
【図４】標識体を用いて犯人の身長を推定する方法を示す説明図。
【符号の説明】
【００３０】
１００…標識体（防犯シール）、１００Ａ〜１００Ｃ…表材、１００Ｘ…粘着層、１０１Ａ〜１０１Ｃ…黒目部分、１０２Ａ〜１０２Ｃ…数値、１０３Ａ〜１０３Ｃ…白目部分、１０…ドア、１５…監視カメラ
【図１】
2005084163.tif 000003
【図２】
2005084163.tif 000004
【図３】
2005084163.tif 000005
【図４】
2005084163.tif 000006